(57)【特許請求の範囲】
【請求項１】
カセット内に、テープ基材の片側表面に塗膜がコーティングされた転写テープが巻回された繰出部と、前記カセットの端部から突出する転写ヘッドとを具えた塗膜転写具において、
前記転写ヘッドの側方向を覆う側壁と上方向を覆う上壁とを具えたキャップが取付片を介在させて前記カセットに取付けられ、
前記キャップが被転写面に対して押圧されたとき、前記取付片が弾性変形することにより、前記転写ヘッドが前記被転写面に接触することを特徴とする、
塗膜転写具。
【請求項２】
カセット内に、テープ基材の片側表面に塗膜がコーティングされた転写テープが巻回された繰出部と、前記カセットの端部から突出する転写ヘッドとを具えた塗膜転写具において、
前記転写ヘッドの側方向を覆う側壁と少なくとも上方向の一部を覆う上壁とを具えたキャップが前記カセットに取付けられ、
前記キャップが被転写面に対して押圧されたとき、前記側壁が弾性変形することにより、前記転写ヘッドが前記被転写面に接触することを特徴とする、
塗膜転写具。
【請求項３】
前記キャップが透明、又は半透明である、請求項１又は２の塗膜転写具。
【発明の詳細な説明】
【０００１】
【発明の属する技術分野】
本発明は、転写テープ基材の表面にコーティングされた修正用塗膜、接着用粘着剤、装飾用塗膜等を被転写面に転写するための塗膜転写具であって、特に転写ヘッドを覆うキャップを具えた塗膜転写具の技術分野に属する。
【０００２】
【従来の技術】
図７は、従来のこの種の塗膜転写具５０の斜視図、図８は図７のキャップ６０を外した状態での８−８線断面図である。
塗膜転写具５０のカセット１２内部には、図８に示すように、繰出部１４と巻取部１６がそれぞれ回転可能に収納されており、カセット１２の端部から、支承部材１８，１８（図７参照。）に回転可能に保持されたローラ状の転写ヘッド２０が突出している。
繰出部１４には、テープ基材の片側表面に粘着剤等の塗膜がコーティングされた転写テープＴが塗膜を外側にして巻かれており、この転写テープＴは転写ヘッド２０において被転写面に転写される塗膜と残りのテープ基材とに分かれ、テープ基材のみが繰出部１４から巻取部１６に巻取られるようになっている。
【０００３】
この塗膜転写具５０において、ローラ状の転写ヘッド２０を被転写面に押付けながら図８に示す移動方向に動かすと、繰出部１４と巻取部１６とが回転して転写テープＴが引出されるとともに、ローラ状の転写ヘッド２０が軸周りに回転して転写テープＴ表面の塗膜が被転写面に転写され、転写後のテープ基材が巻取部１６に巻取られる。
【０００４】
上記構成のローラ状の転写ヘッド２０を具えた塗膜転写具５０は、特に、接着用塗膜転写具として使用される。
なお、カセット端部から突出するブレード状の転写ヘッドを具えた塗膜転写具もあり、このものは、主に、文字修正用塗膜転写具として使用される。
ブレード状の転写ヘッドを具えた塗膜転写具の構成や使用方法は、上記のローラ状転写ヘッドを具えた塗膜転写具と基本的に同じである。
【０００５】
さらに、塗膜転写後に残ったテープ基材は廃棄すべきもので、本来、回収する必要がないから、カセット内部にテープ基材の巻取部を具えず、塗膜転写後のテープ基材を、手で千切って捨てるようにした塗膜転写具もある。
【０００６】
以上に説明した従来の塗膜転写具５０は、カセット１２の端部から転写テープＴが外部に引き出されているため、この部分において転写テープＴ表面の粘着剤等の塗膜に塵埃が付着したり、外部からの衝撃を受けて転写前の塗膜が傷付いたり剥がれたりしないように、塗膜転写具５０を使用しないときには、カセット１２端部にキャップ６０が被せられるようになっているものが多い（図７参照）。キャップ６０としては、図７に示すようにカセット１２端部に着脱可能に嵌め込まれるものや、ヒンジ等で開閉可能にカセット１２に連結されたもの（図示せず。）等がある。
【０００７】
【発明が解決しようとする課題】
しかし、従来の塗膜転写具５０は、上記のような構成のため、使用の際には転写ヘッド２０を覆うキャップ６０を取り外し、使用後には転写ヘッド２０に再びキャップ６０を被せなければならず、面倒であるという問題を有する。
【０００８】
また、カセット１２とキャップ６０が別体の場合には、取り外したキャップ６０を紛失することもある。
【０００９】
なお、接着用塗膜転写具の場合には、キャップ６０を被せずに塗膜転写具５０を放置しておくと、転写テープＴの粘着剤が塗膜転写具５０周辺にあるものに付着したりすることがあるという問題もある。
【００１０】
【課題を解決するための手段】
本発明は、第１に、カセット内に、テープ基材の片側表面に塗膜がコーティングされた転写テープが巻回された繰出部と、前記カセットの端部から突出する転写ヘッドとを具えた塗膜転写具において、前記転写ヘッドの側方向を覆う側壁と上方向を覆う上壁とを具えたキャップが取付片を介在させて前記カセットに取付けられ、前記キャップが被転写面に対して押圧されたとき、前記取付片が弾性変形することにより、前記転写ヘッドが前記被転写面に接触することを特徴とする塗膜転写具により、前記の課題を解決した。
【００１１】
本発明は、第２に、カセット内に、テープ基材の片側表面に塗膜がコーティングされた転写テープが巻回された繰出部と、前記カセットの端部から突出する転写ヘッドとを具えた塗膜転写具において、前記転写ヘッドの側方向を覆う側壁と少なくとも上方向の一部を覆う上壁とを具えたキャップが前記カセットに取付けられ、前記キャップが被転写面に対して押圧されたとき、前記側壁が弾性変形することにより、前記転写ヘッドが前記被転写面に接触することを特徴とする塗膜転写具によって、前記の課題を解決した。
【００１２】
【発明の実施の形態】
図１は、本発明の第１の実施形態の塗膜転写具１０の部分拡大斜視図である。この塗膜転写具１０において、図７及び図８で説明した従来の塗膜転写具５０と同一のものには同一の符号を付した。
【００１３】
この塗膜転写具１０では、キャップ３０は、カセット１２の端部に取付けられている。
このキャップ３０は、転写ヘッド２０の側方向を覆う側壁３２，３２と上方向を覆う上壁３６とを具え、上壁３６端部の弾性変形可能な取付片３４によってカセット１２端部に取付けられている。
【００１４】
図２と図３は、本発明の塗膜転写具１０を側面から見た略図であり、図２は塗膜転写具１０を押圧していない状態、図３は塗膜転写具１０に押圧力をかけて転写を行なっている状態をそれぞれ示す。
【００１５】
図２に示すように、塗膜転写具１０に押圧力がかけられていない状態では取付片３４は弾性変形せず、ローラ状の転写ヘッド２０は被転写面に接触しない状態でキャップ３０の内部に収納されている。
【００１６】
被転写面の所望の位置に塗膜を転写するため、使用者が塗膜転写具１０に図３の矢印で示す方向に押圧力をかけると、キャップ３０の側壁３２，３２の下端面が被転写面に押付けられて取付片３４が弾性変形し、ローラ状の転写ヘッド２０が被転写面に接触するようになる（図３参照）。
この状態で、塗膜転写具１０を図３の矢印の移動方向に動かすと、被転写面に塗膜が転写される。
【００１７】
その後、塗膜の転写を終了したい位置で押圧力を解除すると、弾性変形していた取付片３４の作用により、再び図２に示す位置に戻る。
【００１８】
このキャップ３０の取付片３４は、材料、寸法等を適切に選定し、塗膜転写具１０の重さがかかっただけでは弾性変形しない程度の弾性を具えさせることが望ましい。何故なら、塗膜転写具１０の重さがかかっただけで弾性変形するようであると、キャップ３０が、被転写面に触れただけで開き、転写ヘッド２０が被転写面に接触することになるので、所望の位置から確実に転写を開始することが難しくなるからである。取付片３４が弾性変形するためには、使用者が意識的に押圧力を加えなければならないようにしておけば、このようなことは起こらない。
【００１９】
この塗膜転写具１０を使用していないときに保管するには、通常の寝かせた状態ではなく、図４に示すように、起こした状態で置いておくことが望ましい。その理由は、このようにして保管しておくと、転写ヘッド２０の上方向と側方向のみならず、下方向も自然に覆われることになり、外部から塵埃が入り込みにくくなり、図７に示すような従来のキャップを被せた状態と同等になるからである。
【００２０】
従って、使用しない状態では、側壁３２の下端面とカセット１２の下面とはほぼ面一となるようにしておくことが望ましい。
【００２１】
なお、上記の説明では、カセット１２と別体のキャップ３０を取付片３４によってカセット１２端部に取付けたものについて説明したが、勿論、カセット１２とキャップ３０とを一体形成してもよい。
【００２２】
次に、図５は、本発明の第２実施形態の塗膜転写具１００を、部分的に拡大した分解斜視図である。
なお、図５では、転写テープＴの図示を省略した。
この実施形態の塗膜転写具１００は、転写ヘッド２０の側方向を覆う側壁４２，４２と、少なくとも上方向の一部を覆う上壁４６とを具えている。
このキャップ４０において、側壁４２，４２は弾性変形しやすい素材で、取付片４４は弾性変形しにくい素材で形成されており、取付片４４によってカセット１２端部に取付けられている。
なお、同一の素材で側壁４２，４２と取付片４４を形成する場合でも、寸法、形状等を適当にすることにより、側壁４２，４２は弾性変形しやすく、取付片４４は弾性変形しにくくすることができる。
【００２３】
図６は、図５においてキャップ４０をカセット１２端部に取付け、図５中の矢印６方向から見た図である。
この塗膜転写具１００に押圧力がかけられていない状態では、図６（ａ）に示すように、キャップ４０の側壁４２，４２が、転写ヘッド２０の側方向を、転写ヘッド２０が被転写面に接触しない程度迄覆っている。
そして、図６（ｂ）に示すように、塗膜転写具１００に矢印方向の押圧力がかけられると、側壁４２，４２が被転写面に押付けられて外側に広がるように弾性変形し、転写ヘッド２０が被転写面に接触するようになる。
この状態で、塗膜転写具１００を既に説明した移動方向に動かすと、被転写面に塗膜が転写される。
なお、側壁４２，４２が被転写面を擦ることによって被転写面を傷つけないように、側壁４２，４２が被転写面と接触する面に、被転写面との間の摩擦係数を小さくするような材料を塗布したり、或いは、そのような材料で側壁４２，４２を形成するとよい。このことは、図１の実施形態にも当てはまることである。
【００２４】
なお、キャップ４０の側壁４２，４２は、第１の実施形態と同じように、塗膜転写具１００の重さがかかった程度では弾性変形しない程度の弾性を具えさせるものとする。
【００２５】
また、不使用状態では、キャップ４０の側壁４２，４２の下端面とカセット１２下面が面一であるようにしておくことが望ましい。
【００２６】
なお、転写ヘッド２０の上方向をどの程度覆うかは、側壁４２，４２の弾性変形の程度とも関係するが、覆う部分はなるべく多い方がよい。
【００２７】
以上に説明した本発明の塗膜転写具１０，１００は、例示として示したものであり、本発明は、ブレード状の転写ヘッドを具えた塗膜転写具にも、カセット内にテープ基材の巻取部を具えない塗膜転写具にも、当然、適用することができる。
【００２８】
なお、上記の塗膜転写具１０，１００において、キャップ３０，４０を透明、又は半透明にしておくと、転写位置の確認がしやすくなる。
【００２９】
【発明の効果】
本発明の塗膜転写具は、上記の構成により、転写ヘッドのキャップを取り外すことなく、塗膜転写の際に加えられる押圧力を利用して転写を行なうことができるという効果を奏する。
また、押圧力を解除すれば、キャップは、自然に元の（保護）状態に戻るので、キャップを紛失したりすることがない。
【図面の簡単な説明】
【図１】  本発明の塗膜転写具の第１の実施形態の部分拡大斜視図。
【図２】  図１の塗膜転写具の、押圧力がかけられていない状態における側面図。
【図３】  図１の塗膜転写具の、押圧力がかけられた状態における側面図。
【図４】  図１の塗膜転写具の保管状態の側面図。
【図５】  本発明の塗膜転写具の第２実施形態の分解斜視図。
【図６】  図５の塗膜転写具を図５の矢印６方向から見た図であり、図６（ａ）は側壁が弾性変形していない状態、図６（ｂ）は側壁が弾性変形した状態をそれぞれ示す。
【図７】  従来の塗膜転写具の斜視図。
【図８】  キャップを外した状態の、図７の８−８線断面図。
【符号の説明】
塗膜転写具：１０，１００
カセット：１２
繰出部：１４
支承部材：１８
転写ヘッド：２０
キャップ：３０，４０
側壁：３２，４２
取付片：３４，４４
上壁：３６，４６
転写テープ：Ｔ
【図１】
0004144679.tif 000002
【図２】
0004144679.tif 000003
【図３】
0004144679.tif 000004
【図４】
0004144679.tif 000005
【図５】
0004144679.tif 000006
【図６】
0004144679.tif 000007
【図７】
0004144679.tif 000008
【図８】
0004144679.tif 000009